(57)【要約】  受信部（１０１）は、放送波の番組の映像信号と音声信号、および番組のタイトルを受信する。入力部（１０３）には、記録媒体に格納された所定のタイトルの映像信号と音声信号、およびタイトルが入力される。照合部（１０４）は、放送波の番組のタイトルと、記録媒体に格納されたタイトルとが同一であるかを照合する。選択部（１０５）は、照合部（１０４）による照合結果が同一である場合に、受信部（１０１）によって受信した映像信号および音声信号と、入力部（１０３）に入力された映像信号と音声信号と、のなかからそれぞれ高品質な映像信号と音声信号とを選択する。同期制御部（１０６）は、選択部（１０５）によって選択した映像信号と音声信号とを同期させる。
2007100004.tif 000002
【特許請求の範囲】
【請求項１】
放送波の番組の映像信号と音声信号、および番組のタイトルを受信する受信手段と、
記録媒体に格納された所定のタイトルの映像信号と音声信号、およびタイトルが入力される入力手段と、
前記放送波の番組のタイトルと、前記記録媒体に格納されたタイトルとが同一であるかを照合する照合手段と、
前記照合手段による照合結果が同一である場合に、前記受信手段によって受信した映像信号および音声信号と、前記入力手段に入力された映像信号と音声信号と、のなかからそれぞれ高品質な映像信号と音声信号とを選択する選択手段と、
前記選択手段によって選択された前記映像信号と前記音声信号とを同期させる同期制御手段と、
を備えることを特徴とする情報再生装置。
【請求項２】
前記放送波の番組を一つあるいは複数蓄積する蓄積手段を備え、
前記選択手段は、前記蓄積手段に蓄積された番組の映像信号と音声信号と、前記入力手段によって取り込んだ映像信号と音声信号と、のなかからそれぞれ高品質な映像信号と音声信号とを選択することを特徴とする請求項１に記載の情報再生装置。
【請求項３】
前記同期制御手段は、前記選択手段によって選択された前記映像信号と前記音声信号とが、放送波を受信して得たものと、前記記録媒体を読み取り得たものの組み合わせである場合に、これら異なる入力系統の映像信号と音声信号とを同期させることを特徴とする請求項１または２に記載の情報再生装置。
【請求項４】
放送波の番組の映像信号と音声信号、および番組のタイトルを受信する受信工程と、
記録媒体に格納された所定のタイトルの映像信号と音声信号、およびタイトルの入力を受け付ける入力工程と、
前記放送波の番組のタイトルと、前記記録媒体に格納されたタイトルとが同一であるかを照合する照合工程と、
前記照合工程による照合結果が同一である場合に、前記受信工程によって受信した映像信号および音声信号と、前記入力工程によって受け付けた映像信号と音声信号と、のなかからそれぞれ高品質な映像信号と音声信号とを選択する選択工程と、
前記選択工程によって選択された前記映像信号と前記音声信号とを同期させる同期制御工程と、
を含むことを特徴とする情報再生方法。
【請求項５】
請求項４に記載の情報再生方法をコンピュータに実行させることを特徴とする情報再生プログラム。
【請求項６】
請求項５に記載の情報再生プログラムを記録したことを特徴とするコンピュータに読み取り可能な記録媒体。
【発明の詳細な説明】
【技術分野】
【０００１】
この発明は、映像と音声の情報を再生する情報再生装置、情報再生方法、情報再生プログラムおよび記録媒体に関する。
【背景技術】
【０００２】
従来、放送波を受信する受信装置により各種の番組等を視聴でき、さらに、近年では、デジタル放送の普及により映画等の番組を高品質に受信し、再生できるようになっている（例えば、下記特許文献１参照。）。デジタル放送の例でみると、映像はハイビジョン（ＨＤＴＶ）画質であり品質が高いが、音声はＡＡＣ（Ａｄｖａｎｃｅｄ  Ａｕｄｉｏ  Ｃｏｄｉｎｇ）等であり品質はやや低い。【０００３】
ところで、放送波を受信するユーザは、上述した映画等の番組と同じタイトル（映画）のメディア（例えばＤＶＤ）を既に保有していることがある。ＤＶＤは、上述したデジタル放送と比較すると、映像は標準（ＳＤＴＶ）画質相当であり品質は低いが、音声はＰＣＭ、ＤＴＳ（登録商標）、Ｄｏｌｂｙ（登録商標）Ｄｅｇｉｔａｌ（ＤＤ）−ＥＸ等であり品質は高い。【０００４】
【特許文献１】特開２００３−７００１８号公報
【発明の開示】
【発明が解決しようとする課題】
【０００５】
しかしながら、従来の情報再生装置は、受信したデジタル放送の番組を、映像については高品質に再生することができるが、音声については受信したデジタル放送の品質でしか再生できず、より高品質な音声の再生が行えないという問題が一例として挙げられる。【０００６】
逆に、ＤＶＤのタイトルの再生の例では、音声については高品質に再生することができるが、映像についてはＤＶＤに格納されている品質でしか再生できず、より高品質な映像再生が行えないという問題が一例として挙げられる。
【課題を解決するための手段】
【０００７】
上述した課題を解決し、目的を達成するため、請求項１の発明にかかる情報再生装置は、放送波の番組の映像信号と音声信号、および番組のタイトルを受信する受信手段と、記録媒体に格納された所定のタイトルの映像信号と音声信号、およびタイトルが入力される入力手段と、前記放送波の番組のタイトルと、前記記録媒体に格納されたタイトルとが同一であるかを照合する照合手段と、前記照合手段による照合結果が同一である場合に、前記受信手段によって受信した映像信号および音声信号と、前記入力手段に入力された映像信号と音声信号と、のなかからそれぞれ高品質な映像信号と音声信号とを選択する選択手段と、前記選択手段によって選択された前記映像信号と前記音声信号とを同期させる同期制御手段と、を備えることを特徴とする。【０００８】
また、請求項４の発明にかかる情報再生方法は、放送波の番組の映像信号と音声信号、および番組のタイトルを受信する受信工程と、記録媒体に格納された所定のタイトルの映像信号と音声信号、およびタイトルの入力を受け付ける入力工程と、前記放送波の番組のタイトルと、前記記録媒体に格納されたタイトルとが同一であるかを照合する照合工程と、前記照合工程による照合結果が同一である場合に、前記受信工程によって受信した映像信号および音声信号と、前記入力工程によって受け付けた映像信号と音声信号と、のなかからそれぞれ高品質な映像信号と音声信号とを選択する選択工程と、前記選択工程によって選択された前記映像信号と前記音声信号とを同期させる同期制御工程と、を含むことを特徴とする。【０００９】
また、請求項５の発明にかかる情報再生プログラムは、請求項４に記載の情報再生方法をコンピュータに実行させることを特徴とする。【００１０】
また、請求項６の発明にかかるコンピュータ読み取り可能な記録媒体は、請求項５に記載の情報再生プログラムを記録したことを特徴とする。
【図面の簡単な説明】
【００１１】
【図１】図１は、この発明の実施の形態にかかる情報再生装置の構成を示すブロック図である。
【図２】図２は、この発明の実施の形態にかかる情報再生装置の処理内容を示すフローチャートである。
【図３】図３は、この発明の実施例にかかる情報再生装置の構成を示すブロック図である。
【図４】図４は、情報再生装置を備えた情報再生システムの全体構成を示すブロック図である。
【図５】図５は、この発明の実施例にかかる情報再生装置の処理内容を示すフローチャートである（その１）。
【図６】図６は、この発明の実施例にかかる情報再生装置の処理内容を示すフローチャートである（その２）。
【符号の説明】
【００１２】
１００  情報再生装置
１０１  受信部
１０２  蓄積部
１０３  入力部
１０４  照合部
１０５  選択部
１０６  同期制御部
【発明を実施するための最良の形態】
【００１３】
以下に添付図面を参照して、この発明にかかる情報再生装置、情報再生方法、情報再生プログラムおよび記録媒体の好適な実施の形態を詳細に説明する。【００１４】
（実施の形態）
図１は、この発明の実施の形態にかかる情報再生装置の構成を示すブロック図である。この情報再生装置１００は、受信部１０１と、蓄積部１０２と、入力部１０３と、照合部１０４と、選択部１０５と、同期制御部１０６とによって構成される。【００１５】
受信部１０１は、地上デジタル放送等のデジタル放送波を受信し、放送されている番組の映像信号と音声信号、および番組のタイトルを出力する。番組の映像信号と音声信号は、蓄積部１０２に蓄積される。この蓄積部１０２には、これら番組の映像信号と音声信号、およびタイトルが蓄積されるようになっている。【００１６】
入力部１０３には、映像信号と音声信号、および映像信号と音声信号の情報が入力される。例えば、映像信号と音声信号を記録した記録媒体であるＤＶＤを再生するＤＶＤプレーヤ等が接続される。このＤＶＤプレーヤで再生したタイトルと、タイトルの映像信号と音声信号が入力される。記録媒体としてはＤＶＤに限らず、映像信号と音声信号が記録された他の記録媒体であれば良く、形状もディスクに限らない。【００１７】
照合部１０４は、受信部１０１あるいは蓄積部１０２に蓄積されているデジタル放送の番組と、記録媒体であるＤＶＤに格納されたタイトルとが同一の内容であるかを照合する。この照合部１０４は、デジタル放送の番組とＤＶＤのタイトルについて、それぞれの映像信号と音声信号の品質を検出する機能を有する。例えば、映像信号および音声信号のデータフォーマットのなかから品質に関する情報を検出することができる。【００１８】
選択部１０５には、デジタル放送の番組の映像信号と音声信号、およびＤＶＤのタイトルの映像信号と音声信号が入力される。そして、照合部１０４の照合結果に基づいて、映像信号と音声信号をそれぞれ選択して出力する。具体的に説明すると、照合部１０４による照合の結果が一致したときには、デジタル放送の番組の内容と、記録媒体であるＤＶＤに格納されているタイトルの内容とが同一であるため、デジタル放送の番組の内容と、ＤＶＤに格納されているタイトルの内容とを組み合わせて再生することが可能となる。【００１９】
また、照合部１０４による品質の検出結果に基づいて、入力された映像信号と音声信号のそれぞれについて、品質の高い信号を選択して出力する。現在、一般的には、デジタル放送の映像信号がＤＶＤの映像信号より高品質であるため、デジタル放送の映像信号を選択する。同様に、ＤＶＤの音声信号は、デジタル放送の音声信号より高品質であるため、ＤＶＤの音声信号を選択する。【００２０】
ところで、照合部１０４による照合の結果が一致しないときには、デジタル放送の番組の内容と、記録媒体であるＤＶＤに格納されているタイトルの内容とが同一ではないため、デジタル放送の番組の内容と、ＤＶＤに格納されているタイトルの内容とを組み合わせた選択は行わない。この場合、デジタル放送の映像信号と音声信号だけを選択する。あるいはＤＶＤに格納されているタイトルの映像信号と音声信号だけを選択する。【００２１】
同期制御部１０６は、選択部１０５によって選択された映像信号のビデオフレーム同期を行う。そして、この同期制御部１０６は、選択部１０５によって選択された映像信号と音声信号とが異なる入力系統である場合に、これら異なる入力系統の映像信号と音声信号とを同期させる。例えば、選択部１０５によって選択された信号が、デジタル放送の映像信号と、ＤＶＤの音声信号である場合には、これら異なる入力系統の映像信号と音声信号とを同期させて、再生に違和感がないようにする。【００２２】
図２は、この発明の実施の形態にかかる情報再生装置の処理内容を示すフローチャートである。以下の処理では、デジタル放送波として地上デジタル放送を受信し、記録媒体としてＤＶＤを読み取る構成を例に説明する。【００２３】
はじめに、受信部１０１によりデジタル放送の番組を受信する（ステップＳ２０１）。次に、記録媒体（ＤＶＤ）に格納されたタイトルを取り込む（ステップＳ２０２）。この後、デジタル放送の番組と同一内容のタイトルが記録媒体（ＤＶＤ）にあるかを判断する（ステップＳ２０３）。判断の結果、デジタル放送の番組と同一内容のタイトルが記録媒体（ＤＶＤ）にあれば（ステップＳ２０３：Ｙｅｓ）、これらデジタル放送の番組と、記録媒体（ＤＶＤ）から最も品質の良い映像信号と音声信号を選択する（ステップＳ２０４）。【００２４】
例えば、最も品質の良い映像信号がデジタル放送の番組であれば、選択部１０５は、蓄積部１０２から番組の映像信号を選択する。また、最も品質の良い音声信号が記録媒体（ＤＶＤ）の音声信号であれば、選択部１０５は、記録媒体（ＤＶＤ）から音声信号を選択する。【００２５】
この後、選択した映像信号と音声信号は別の入力系統かを判断する（ステップＳ２０５）。判断の結果、選択した映像信号と音声信号が別の入力系統であれば（ステップＳ２０５：Ｙｅｓ）、同期制御部１０６によりこれら別の入力系統の映像信号と音声信号を同期させ（ステップＳ２０６）、再生出力し（ステップＳ２０７）、以上の処理を終了する。【００２６】
ところで、ステップＳ２０３による判断の結果、デジタル放送の番組と同一内容のタイトルが記録媒体（ＤＶＤ）になければ（ステップＳ２０３：Ｎｏ）、デジタル放送の番組あるいは記録媒体（ＤＶＤ）の一方の映像信号と音声信号を選択し（ステップＳ２１０）、再生出力し（ステップＳ２０７）、以上の処理を終了する。【００２７】
ステップＳ２１０における選択は、デジタル放送側の入力系統の信号（映像信号と音声信号）だけ、あるいは記録媒体（ＤＶＤ）側の入力系統の信号（映像信号と音声信号）だけを用いる選択となる。この場合、デジタル放送側の信号と記録媒体（ＤＶＤ）側の信号を組み合わせた再生は行わないことになる。【００２８】
さらに、ステップＳ２０５による判断の結果、選択した映像信号と音声信号が別の入力系統でなければ（ステップＳ２０５：Ｎｏ）、同じ入力系統の映像信号と音声信号を用いた再生出力を行い（ステップＳ２０７）、以上の処理を終了する。【００２９】
以上説明したように、この実施の形態によれば、入力系統の異なるデジタル放送の映像信号および音声信号と、ＤＶＤ等の記録媒体の映像信号および音声信号とのなかから映像信号と音声信号を選択して再生することができるようになる。例えば、デジタル放送の高品質な映像信号と、ＤＶＤ等記録媒体の高品質な音声信号とを組み合わせて再生することができるようになる。これにより、一方の入力系統だけを用いた再生に比して、映像信号および音声信号のいずれも高品質に再生することができるようになる。【００３０】
また、上記の処理では、映像信号と音声信号の品質をそれぞれ選択する構成であるため、組み合わせ時だけに限らず、一方の入力系統側の映像信号と音声信号がいずれも高品質であれば、この一方の入力系統側の高品質な映像信号と高品質な音声信号を用いた再生も行える。
【実施例】
【００３１】
図３は、この発明の実施例にかかる情報再生装置の構成を示すブロック図である。情報再生装置３００は、デジタル放送波を受信し、番組の映像信号と音声信号、および番組のタイトルを出力する受信部３０１と、記録媒体である例えばＤＶＤに格納されている映像信号と音声信号、およびタイトルが入力される入力部３０２とを備えている。具体的には、この入力部３０２にはＤＶＤプレーヤ等の他の映像再生装置が接続される。【００３２】
受信部３０１から出力される映像信号と音声信号、およびタイトルは、蓄積部３０３に蓄積される。この実施例では、蓄積部３０３は、少なくとも一つの番組（タイトル）の映像信号と音声信号を蓄積する。この蓄積部３０３としては、メモリやハードディスク、書き換え可能なＤＶＤディスク等の記録媒体等を用いることができる。【００３３】
タイトル照合部３０４には、受信部３０１によって受信したデジタル放送波に含まれる番組のタイトルと、入力部３０２を介して入力されるＤＶＤのタイトルとが入力される。番組のタイトルは、例えば、電子番組表（ＥＰＧ）等の受信により得ることができる。そして、このタイトル照合部３０４は、これら入力される番組のタイトルと、ＤＶＤで再生しているタイトルとを照合し、照合結果を同期制御部３０６に出力する。このタイトル照合部３０４は、ＣＰＵやＲＯＭ、ＲＡＭ等からなるマイクロプロセッサーを用い、タイトル照合の制御プログラムを実行することにより構成できる。【００３４】
選択部３０５は、タイトル照合部３０４の照合結果が同じタイトルであると判断されたとき、蓄積部３０３に蓄積された番組の映像信号と、入力部３０２に入力されたＤＶＤの映像信号のうちいずれかを選択して同期制御部３０６に出力する。また、蓄積部３０３に蓄積された番組の音声信号と、入力部３０２に入力されたＤＶＤの音声信号のうちいずれかを選択して同期制御部３０６に出力する。この選択は、再生時の映像品質が良い（例えば、ビデオフレームレートが高い）映像信号と、音声品質が良い（例えば、音声レートが高い）音声信号を優先的に選択するようになっている。【００３５】
同期制御部３０６は、選択部３０５によって選択された映像信号と、音声信号とを同期させて出力する。特に、異なる入力の場合における映像信号と音声信号との同期を行う。具体的には、選択された信号がデジタル放送波の番組の映像信号と、ＤＶＤプレーヤにより再生したタイトルの音声信号とを同期させる。この場合、蓄積部３０３に蓄積されている番組の映像信号に対し、入力部３０２に入力される音声信号を同期（ビデオフレーム同期）させる。そして、映像信号は、映像出力部３０７から外部出力されるとともに、この映像信号に同期された音声信号は、音声出力部３０８から外部出力される。【００３６】
１．同期が必要な例…デジタル放送波の番組の高品質な映像信号（ＨＤＴＶ）と、ＤＶＤプレーヤが出力する高品質な音声信号（例えば、ＤＴＳ）。
２．同期が不要な例…同じメディアの映像信号と音声信号。例えば、デジタル放送の番組の映像信号と音声信号。あるいは、ＤＶＤプレーヤが出力する映像信号と音声信号。
なお、この実施例では、低品質な映像信号（例えばＳＤＴＶ）と、低品質な音声信号（ＡＡＣ）の組み合わせは、選択しない。但し、低品質な信号しか選択の余地がない場合には、優先順に従って映像信号と音声信号とがいずれも低品質なものを選択する場合もあり得る。【００３７】
これらの映像信号と、音声信号は、同一のテレビジョン装置（ＴＶ）３５０に出力することができる。テレビジョン装置３５０は、映像信号を表示する映像表示部（モニタ）３５１と、音声信号を音声出力するアンプやスピーカ等の音声出力部３５２と、を備えている。これに限らず、映像信号はテレビジョン装置３５０に出力し、音声信号はオーディオシステムのアンプに出力し、音声信号はアンプに接続されたスピーカから出力する構成にもできる。オーディオシステムに限らず、ＡＶアンプ等に映像信号と音声信号を出力する構成にもできる。【００３８】
上述した説明では、情報再生装置３００の外部に他のＤＶＤプレーヤ等の映像再生装置を配置する構成としたが、情報再生装置３００内部にＤＶＤ再生部を備える構成としても良い。【００３９】
図４は、情報再生装置を備えた情報再生システムの全体構成を示すブロック図である。情報再生システム４００は、デジタル放送受信機４０１と、ＤＶＤプレーヤ４０２と、ＴＶ４０３を備えて構成できる。なお、図示の例では、音声信号をより良い品質で再生するために、音声信号については、ＡＶアンプ４０４を介してスピーカ４０５から出力する構成としている。【００４０】
デジタル放送受信機４０１は、図３を用いて説明した情報再生装置３００に相当するものである。このデジタル放送受信機４０１は、デジタル放送波を受信して映像信号Ｖ１と、音声信号Ｓ１を出力する。また、デジタル放送受信機４０１には、ＤＶＤプレーヤ４０２が接続され、ＤＶＤプレーヤ４０２から映像信号Ｖ２と、音声信号Ｓ２と、タイトル情報Ｔ１が入力される。【００４１】
そして、デジタル放送受信機４０１は、これら映像信号Ｖ１、Ｖ２と、音声信号Ｓ１、Ｓ２のなかから高品質の信号を選択的に出力する（図３の選択部３０５）。ここで、受信したデジタル放送波の映像信号Ｖ１はＨＤＴＶであり、音声信号Ｓ１がＡＡＣであるとする。また、ＤＶＤプレーヤ４０２から入力された映像信号Ｖ２がＳＤＴＶ相当であり、音声信号Ｓ２がＤＤ、ＤＴＳ、ＤＤ−ＥＸ、ＤＴＳ−ＥＳ、ＰＣＭであるとする。【００４２】
この場合、デジタル放送受信機４０１は、映像信号Ｖ１、Ｖ２のうち、品質の優れている映像信号Ｖ１（ＨＤＴＶ）を選択し、映像信号Ｖ３としてＴＶ４０３に出力する。また、音声信号Ｓ１、Ｓ２のうち、品質の優れている音声信号Ｓ２のなかからＡＡＣ相当の品質であるＤＤを除く他の音声信号Ｓ２のいずれか（ＤＴＳ、ＤＤ−ＥＸ、ＤＴＳ−ＥＳ、ＰＣＭのいずれか）を選択し、音声信号Ｓ３としてＡＶアンプ４０４に出力する。【００４３】
図４に示した構成例では、デジタル放送受信機４０１に映像信号Ｖ１、Ｖ２と、音声信号Ｓ１、Ｓ２が全て入力され、デジタル放送受信機４０１から映像信号Ｖ３と、音声信号Ｓ３を出力する構成とした。これに限らず、ＤＶＤプレーヤ４０２をＡＶアンプ４０４に接続し、音声信号Ｓ２をＤＶＤプレーヤ４０２からＡＶアンプ４０４に直接出力する構成にもできる。【００４４】
図５および図６は、それぞれこの発明の実施例にかかる情報再生装置の処理内容を示すフローチャートである。図３および図４に示した構成と対応付けて説明する。はじめに、ＤＶＤプレーヤ４０２に再生用のＤＶＤを挿入する（ステップＳ５０１）。このＤＶＤの挿入によりＤＶＤプレーヤ４０２は、タイトルを検索し始め、同時に音声信号の品質の情報を取得する（ステップＳ５０２）。【００４５】
そして、タイトル照合部３０４は、取得した音声信号の品質の情報が高音質であるかを判断する（ステップＳ５０３）。判断の結果、高音質であれば（ステップＳ５０３：Ｙｅｓ）、デジタル放送に同じタイトルの番組があるかを判断する（ステップＳ５０４）。一方、高音質でなければ（ステップＳ５０３：Ｎｏ）、ステップＳ５１１に移行する。【００４６】
ステップＳ５０４の判断の結果、デジタル放送に同じタイトルの番組があれば（ステップＳ５０４：Ｙｅｓ）、デジタル放送の番組の映像信号と、ＤＶＤのタイトルの音声信号とを同期させる処理を実行する（ステップＳ５０６〜ステップＳ５１０）。一方、デジタル放送に同じタイトルの番組がなければ（ステップＳ５０４：Ｎｏ）、デジタル放送の番組の映像信号が得られないため、ＤＶＤの映像信号と音声信号を出力する（ステップＳ５０５）。この際、選択部３０５は、ＤＶＤの映像信号と音声信号を選択し、映像出力部３０７からＤＶＤの映像信号を出力し、音声出力部３０８からＤＶＤの音声信号を出力し、以上の処理を終了する。【００４７】
デジタル放送の番組の映像信号と、ＤＶＤのタイトルの音声信号とを同期させる処理では、まず、デジタル放送の番組の映像信号の同期（ビデオフレーム同期）を行う（ステップＳ５０６）。そして、番組の映像信号の同期が取れたか判断する（ステップＳ５０７）。番組の映像信号の同期が取れれば（ステップＳ５０７：Ｙｅｓ）、同期再生開始するが（ステップＳ５０８）、番組の映像信号の同期が取れないときには（ステップＳ５０７：Ｎｏ）、ステップＳ５０６における映像信号の同期の処理を再度行うようになっている。【００４８】
ステップＳ５０８における同期再生開始とは、互いに異なるソースである、デジタル放送の番組の映像信号と、ＤＶＤのタイトルの音声信号を同期させることを指す。デジタル放送の番組の映像信号は映像出力部３０７から出力され、ＤＶＤのタイトルの音声信号は音声出力部３０８から出力される。この際、同期制御部３０６は、デジタル放送の番組の映像信号と、ＤＶＤのタイトルの音声信号とを同期させる（ステップＳ５０９）。この際、互いに異なる入力系統から入力されたソースを用いた再生であるが、映像信号と音声信号のずれがなく、高品質な映像信号と、高品質な音声信号とを用いた高品質な番組（タイトル）再生を実現できるようになる。【００４９】
この同期は、選択した映像信号と音声信号だけを用いた同期に限らず、入力系統が異なる同じ映像信号同士、あるいは音声信号同士を比較して同期しているか否かを判断することができる。例えば、番組の映像信号とＤＶＤの映像信号とが一致しているかを判断することによって、番組の映像信号とタイトルの音声信号との一致を判断することができる。【００５０】
これに限らず、番組の音声信号とＤＶＤの音声信号とが一致しているかを判断することによって、番組の映像信号とタイトルの音声信号との一致を判断することができる。もちろん、番組の映像信号とＤＶＤの映像信号の一致だけではなく、番組の音声信号とＤＶＤの音声信号についても一致したときに番組の映像信号とタイトルの音声信号が一致していると判断する構成にもできる。この一致判断を行う際には、蓄積部３０３に蓄積されている番組側の映像信号あるいは音声信号を先読みし、ＤＶＤの映像信号あるいは音声信号と一致するか判断することができる。ＤＶＤ側の映像信号と音声信号についても所定時間分だけ先読みしてこれらの一致比較に用いることができる。【００５１】
次に、挿入したＤＶＤのタイトルが再生終了か判断する（ステップＳ５１０）。ＤＶＤタイトルの再生が終了していない間は（ステップＳ５１０：Ｎｏ）、ステップＳ５０６に戻り、上述した同期させる処理を繰り返し行いながら番組（タイトル）の再生を継続する。そして、ＤＶＤタイトルの再生が終了すると（ステップＳ５１０：Ｙｅｓ）、全体の処理を終了する。【００５２】
上記のステップＳ５０３において取得した音声信号の品質の情報が高音質でない場合には（ステップＳ５０３：Ｎｏ）、デジタル放送に同じタイトルの番組があるかを判断する（ステップＳ５１１）。ステップＳ５１１の判断の結果、デジタル放送に同じタイトルの番組があれば（ステップＳ５１１：Ｙｅｓ）、デジタル放送の番組の映像信号と、音声信号とを出力する（ステップＳ５１２）。この際、選択部３０５は、デジタル放送の番組の映像信号と音声信号を選択し、映像出力部３０７からデジタル放送の映像信号を出力し、音声出力部３０８からデジタル放送の音声信号を出力し、以上の処理を終了する。【００５３】
ステップＳ５１２の処理の実行時には、ＤＶＤのタイトルの再生は行わないため、ＤＶＤの読み込みを終了させることができる。また、ＤＶＤだけを用いたタイトルの再生に比して、音声信号は、ＤＶＤ再生時と同じ音質であるが、デジタル放送の高品質な映像信号（ＨＤＴＶ）を用いた再生が可能となる。【００５４】
一方、デジタル放送に同じタイトルの番組がなければ（ステップＳ５１１：Ｎｏ）、デジタル放送の番組の映像信号が得られないため、ステップＳ５０５に戻り、ＤＶＤの映像信号と音声信号を出力する。この際、選択部３０５は、ＤＶＤの映像信号と音声信号を選択し、映像出力部３０７からＤＶＤの映像信号を出力し、音声出力部３０８からＤＶＤの音声信号を出力し、以上の処理を終了する。【００５５】
ところで、デジタル放送により受信した番組中にはコマーシャル（ＣＭ）が含まれていることがある。同期制御部３０６は、このＣＭ中は、ＤＶＤの再生を一時停止させれば良い。また、デジタル放送の番組が一時中断されＣＭとなったときに、ＤＶＤ側の再生を先読みして、所定時間分のＤＶＤの映像信号と音声信号を取り込んでおき、ＣＭが終了し、番組が再開されたときに先読みした映像信号あるいは音声信号に一致する箇所からＤＶＤ側の再生を同期させて開始させる。【００５６】
上記の処理は、ＤＶＤの再生を契機として同じタイトルの番組をデジタル放送から検索する処理について説明した。これに限らず、デジタル放送の番組の視聴を契機としてＤＶＤのタイトルを検索する構成にもできる。この検索画面は映像信号の表示画面上に表示し、ユーザに同じタイトルのＤＶＤの挿入を促す構成とすることが考えられる。【００５７】
以上説明した実施例によれば、ＤＶＤの再生時には、ＤＶＤの高品質な音声信号を用いると共に、このタイトルと同じ番組がデジタル放送で放送されていれば、その高品質な映像信号を利用するため、高品質な音声信号および映像信号を利用した再生が行えるようになる。【００５８】
また、上記の実施例では、デジタル放送とＤＶＤの再生を同期させる際に、デジタル放送側は映像信号の品質が良く、ＤＶＤ側は音声信号の品質が良いことを前提として説明したが、今後、デジタル放送の音声信号が品質が良く、ＤＶＤの映像信号の品質が良くなることも考えられる。上記実施例によれば、このような場合であっても、映像信号と音声信号それぞれについて最も品質が良いものを組み合わせて再生することができる。【００５９】
さらに、上記の実施例では、デジタル放送の番組１本分を蓄積部３０３に蓄積記憶し、図５および図６に示した処理は、デジタル放送の番組１本分を蓄積した後に開始される構成とした。これに限らず、蓄積部３０３にＨＤＤ等を用い録画同時再生機能によりデジタル放送の番組の放送開始と共にこの番組を蓄積しながら、ＤＶＤと共に同期再生する構成にもできる。さらには、蓄積部３０３に複数の番組を蓄積する構成とすれば、放送された番組を複数蓄積しておき、複数の番組のうち任意の番組を蓄積部３０３から読み出して再生する際に、ＤＶＤと共に同期再生する構成にもできる。【００６０】
なお、本実施の形態で説明した情報再生方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であっても良い。
【図１】
2007100004.tif 000003
【図２】
2007100004.tif 000004
【図３】
2007100004.tif 000005
【図４】
2007100004.tif 000006
【図５】
2007100004.tif 000007
【図６】
2007100004.tif 000008
【国際調査報告】
2007100004.tif 000009
2007100004.tif 000010
2007100004.tif 000011
2007100004.tif 000012